(57)【特許請求の範囲】
【請求項１】
（イ）軸を中心に、又はその他の方法により回転する大回転体を設け、この大回転体に、自らの軸を中心に回転する、歯車、又は小回転体、を取付け、小回転体を取付けた場合は、その軸に更に歯車を取付ける。歯車又は小回転体の円周寄りに、重量物を取付ける。
（ロ）複数の弾性体を、回動可能な複数の取付器具に取付けて、周回連繋した機構の装置を設け、この装置の弾力が、上記イ記載の大回転体に生ずる重量物やその他によって生ずる主として重量による回転の際の作動負荷と、釣合状態又は強弱の割合を、一定範囲以内に保ち得る機構の装置（以下、此の装置を、整合弾性体装置と稱する）とする。又は単体の弾性体を利用し、同一の機構の装置とする。
（ハ）ロ記載の装置により、釣合状態となった大回転体を、火力、水力、電動、又はその他の方法で回転させる機構とする。
（ニ）コイル、永久磁石又は電磁石（以下単に磁石と稱する）、を利用する回転式又はその他の方式の発電機を設け、上記イ記載の歯車との接触により回転する小歯車を設け、この小歯車の軸の回転により、この発電機を作動させ発電させる機構とする。
以上の様な機構により、大回転体の回転により重量物を上にした歯車又は小回転体は、重量物の重量により半回転し、その軸により発電機を作動させる。次に大回転体の半回転により再び重量物を上にした歯車又は小回転体は半回転し、更なる大回転体の半回転により作動始めの状態に戻る。この様にして回転を続け、発電を続ける様に構成された、重力発電機。
【請求項２】
（イ）軸を中心に、又はその他の方法により回転する大回転体を設け、この大回転体に、数個又は多数の小回転体を、大回転体の重量の均衡を保つ構造に設ける。
（ロ）各小回転体の円周寄りに、同重量の重量物を取付ける。
（ハ）重量物による小回転体の回転により、コイル、磁石を利用する発電機を作動させ発電する機構とする。
（ニ）イ記載の大回転体は、火力、水力、電動、又はその他の方法で回転させる。
以上の様な機構により、大回転体を回転させることにより重量物を上にした小回転体が回転し、大回転体が回転する毎に小回転体が回転して発電を続ける様に構成された重力発電機。
【請求項３】
（イ）軸を中心に、又はその他の方法により回転する大回転体を設け、この大回転体の円にそって一定範囲を落下する、多くの重量物を設け、その重量物の配置位置、落下移動後の位置、総べての場合に大回転体の回転に影響する重量の均衡を、維持する構造とする。
（ロ）コイル、磁石を利用する、回転式又はその他の方式の、発電機を設け、歯車軸の回転が発電機を作動させる機構の歯車を設け、前記、イ、記載の重量物の円にそった落下により、この歯車を回転させる機構とする。
（ハ）イ、記載の大回転体の回転は、火力、水力、電動、又はその他の方法による機構とする。
以上の様な機構により大回転体を回転させることにより、重量物を円にそって落下させて歯車を回転させ、大回転体が半回転する事により、落下した重量物は歯車に影響を与える事なく元の位置に戻り、更なる回転により作動始めの状態となり、発電を続ける様に構成された重力発電機。
【請求項４】
（イ）軸を中心に、又はその他の方法により回転する大回転体を設け、大回転体に、数個又は多数の小回転体を、大回転体の重量の均衡を保つ構造に設け、各小回転体の円周寄りに同重量の重量物を取付ける。更にこの大回転体自体の円周に、一個の重量物を設ける。
（ロ）複数の弾性体を、回転可能な複数の取付器具に取付けて、周回連繋した機構の装置を設け、この装置の弾力が、上記、イ、記載の大回転体自体に取付けた重量物等によって生ずる、主として重量による回転の際の作動負苛と、釣合状態、又は強弱の割合を、一定範囲以内に保ち得る機構の装置（以下此の装置を、整合弾性体装置と稱する）とする。又は単体の弾性体で同一機構の装置とする。
（ハ）小回転体に取付けた重量物による小回転体の回転により、コイル、磁石、を利用する発電機を作動させ発電する機構とする。
（ニ）上記、イ、記載の大回転体は火力、水力、電動又はその他の方法、で回転させる機構とする。
以上の様な機構により、大回転体の重量の均衡を、上方に引き上げる張力との釣合状態等に変え、回転を滑らかにし、その回転により発電を続ける機構とする。
【請求項５】
（イ）軸を中心に、又はその他の方法により回転する大回転体を設け、この大回転体の円にそって一定範囲を落下する、多くの重量物を設け、その重量物の配置位置、落下移動後の位置、すべての場合に大回転体の回転に影響する重量の均衡を維持する構造とし、更にこの大回転体自体の円周に、一個の重量物を設ける。
（ロ）複数の弾性体を、回動可能な複数の取付器具に取付けて、周回連繋した機構の装置を設け、この装置の弾力が、上記、イ、記載の大回転体に固定の重量物やその他によって生ずる主として重量による回転の際の作動負荷と、釣合い状態、又は強弱の割合を、一定範囲以内に保ち得る機構の装置（以下此の装置を、整合弾性体装置と稱する）とする。又は単体の弾性体を利用し、同一の機構の装置とする。
（ハ）コイル、磁石を利用する回転式、又はその他の方式の発電機を設け、歯車軸の回転が発電機を作動させる機構の歯車を設け、上記、イ、記載の重量物の、円にそった落下によりこの歯車を回転させる機構とする。上記、イ、記載の大回転体は、火力、水力、電動、又はその他の方法により、回転する機構とする。
以上の様な機構により、大回転体の回転を滑らかにし発電する機構とする。
【発明の詳細な説明】
【０００１】
【産業上の利用分野】
この発明は発電機の分野に利用する。
【０００２】
【従来の技術】
整合弾性体装置  特開２００１−３２７６３
発電機関係      特願２００１−１５１７３２
上  同        特願２００２−３４４６６９
【０００３】
【発明が解決しようとする課題】
重力を利用し発電を容易にすることである。
【０００４】
【課題を解決する為の手段】
整合弾性体装置、及び重力の均衡を利用する。
【０００５】
【作用】
作動の際の動力を軽減する。
【０００６】
【実施例１】
図１、及び図２は請求項１の実施例である。図２の場合は大回転体の回転はクランクを利用し、２、はクランク軸を示す。８は、５の回転や停止に応じ、噛み合ったり離れたりを電磁石等により行い、発電機の作動に支障が無い様にする
【０００７】
【実施例２】
図３は、参考例である。
【０００８】
【実施例３】
図４は、請求項２の実施例である。図８は、請求項２、及び請求項４の、小回転体の回転により、その軸の回転により歯車４を回転し、小歯車５を回転させる歯車部分の、機構を示す図である。小歯車５の軸の回転により発電機を作動させる。
【０００９】
【実施例４】
図６は、請求項３の実施例であり、歯車４が回転し、その軸の回転により発電機を作動させる。
【００１０】
【実施例５】
図５は、請求項４の実施例である。
【００１１】
【実施例６】
図７は、請求項５の実施例である。
【０００１２】
【発明の効果】
必要動力を軽減し、環境破壊を少なくする
【図面の簡単な説明】
【図１】請求項１の発電装置
【図２】請求項１の発電装置
【図３】参考例としての発電装置
【図４】請求項２の発電装置
【図５】請求項４の発電装置
【図６】請求項３の発電装置
【図７】請求項５の発電装置
【図８】請求項２、請求項４、の発電装置の機構を示す図
【符合の説明】
１    整合弾性体装置
２    大回転体を回転させる爲のクランク装置の軸
３    重量物
４    歯車
５    小歯車
６    大回転体
７    大回転体軸
８    着脱装置
９    発電機
１０  小回転体
１１  歯付きの棒状板
１２  先端歯付きの板
１３  重量物の移動溝
【図１】
0003903219.tif 000002
【図２】
0003903219.tif 000003
【図３】
0003903219.tif 000004
【図４】
0003903219.tif 000005
【図５】
0003903219.tif 000006
【図６】
0003903219.tif 000007
【図７】
0003903219.tif 000008
【図８】
0003903219.tif 000009